(57)【要約】【課題】  電子アルバムの表紙に入力されたタイトルの縦書きと横書きを変更する場合に、ユーザが文字の向きを手動でかえる手間を省き、操作性を高めることを目的とする。【解決手段】  文字列を入力する文字列入力手段と、前記入力された文字列を文字列領域に表示する文字列表示手段と、前記入力された文字列を前記文字列領域に縦書き表示することが可能かを判定する文字方向判定手段とを具備することを特徴とする書籍作成装置を提供する。【選択図】  図５
2006134227.tif 000002
【特許請求の範囲】
【請求項１】
文字列を入力可能な書籍作成装置であって、文字列を入力する文字列入力手段と、前記入力された文字列を文字列領域に表示する文字列表示手段と、前記入力された文字列を前記文字列領域に縦書き表示することが可能かを判定する文字方向判定手段とを具備し、前記文字方向判定手段により前記入力された文字列を前記文字列領域に縦書き表示することが不可能と判定した場合には、前記文字列領域に横書き表示することを特徴とする書籍作成装置。
【請求項２】
前記入力された文字列を横書きにするか縦書きにするかを指定する手段を具備することを特徴とする請求項１に記載の書籍作成装置。
【請求項３】
前記文字方向判定手段において、前記入力された文字列にあらかじめ決められた文字が含まれる場合に前記文字列領域に縦書き表示することが不可能と判定することを特徴とする請求項１または請求項２に記載の書籍作成装置。
【請求項４】
前記あらかじめ決められた文字が、半角文字の部分集合に含まれる文字であることを特徴とする請求項３に記載の書籍作成装置。
【請求項５】
前記入力された文字列内に、第二のあらかじめ決められた文字が含まれる場合に前記第二のあらかじめ決められた文字を第三のあらかじめ決められた文字に変換する文字変換手段を具備することを特徴とする請求項１から請求項４に記載の書籍作成装置。
【請求項６】
前記第二のあらかじめ決められた文字が、あらかじめ決められた半角文字の部分集合に含まれる文字であり、前記第三のあらかじめ決められた文字が前記あらかじめ決められた半角文字の部分集合に含まれる文字に対応する全角文字であることを特徴とする請求項５に記載の書籍作成装置。
【請求項７】
前記第二のあらかじめ決められた文字が半角数字であり、前記第三のあらかじめ決められた文字が前記半角数字に対応する全角数字であることを特徴とする請求項５に記載の書籍作成装置。
【請求項８】
前記書籍作成装置が、特に電子アルバム編集装置であることを特徴とする請求項１から請求項７に記載の書籍作成装置。
【請求項９】
前記文字列領域が、特に書籍の背表紙であることを特徴とする請求項１から請求項７に記載の書籍作成装置。
【請求項１０】
文字列を入力可能な書籍作成装置の制御方法であって、文字列を入力する工程と、前記入力された文字列を文字列領域に表示する工程と、前記入力された文字列を縦書き表示することが可能かを判定する工程とを具備することを特徴とする制御方法。
【請求項１１】
請求項１０に記載の制御方法をコンピュータ装置に実行させるためのプログラム。
【請求項１２】
請求項１１に記載のプログラムをコンピュータ装置に読み出し可能に記憶した記憶媒体。
【発明の詳細な説明】
【技術分野】
【０００１】
本発明は、書籍作成装置及びその制御方法及びその制御方法をコンピュータに実行させるプログラム及びそのプログラムをコンピュータ読み出し可能に記憶した記憶媒体に関するものである。
【背景技術】
【０００２】
従来、任意の連続した文字列を擬似的に１文字として扱い、縦中横（縦書き中の英数字などの文字列だけを横書きで表示する機能）を実現する文字情報処理装置がある。（特許文献１参照。）
【特許文献１】特開２０００−３１８２５２
【発明の開示】
【発明が解決しようとする課題】
【０００３】
従来の技術では、任意の文字列を擬似的に１文字として扱い、縦中横を実現している。これにより、図８の８０１のように「１６」という文字列だけを横書きで表示することを実現している。このとき「橋のある風景」に含まれる文字と「平成１６年」中の横書き部分になる「１６」に含まれる文字の向きが同じになる。「橋のある風景    平成１６年」という文字列のかわりに、例えば、英文の「Ｆｏｏｔｂａｌｌ  ｉｎ  Ｊａｐａｎ  ２００４」という文字列を表示したい場合は、一般的に図８の８０２のように横書きで表示したいという要求があるが、従来の技術では、文字の向きは自動では変えられないため８０３のように表示されてしまい、幅が狭く限られる文字領域（例えば背表紙等）に適用するには、最適な方法ではなかった。従来の技術で、８０２を実現するためにはテンプレートごと、手動でかえる必要があった。つまり、８０１のような縦書きが規定値である文字領域ではなくて、８０３のような横書きが規定値の文字領域をもつテンプレートにかえる必要があった。
【０００４】
そこで、本発明は、縦書きと横書きを変更する場合に、ユーザが文字の向きを手動でかえる手間を省き、操作性を高めることを目的とする。
【課題を解決するための手段】
【０００５】
本発明に係る書籍作成装置は、文字列を入力する文字列入力手段と、前記入力された文字列を文字列領域に表示する文字列表示手段と、前記入力された文字列を前記文字列領域に縦書き表示することが可能かを判定する文字方向判定手段とを具備することを特徴とする。
【発明の効果】
【０００６】
本発明によれば、例えば電子アルバム編集装置においては、ユーザが背表紙のタイトルが縦書きにできるかを考慮することなく、自動的に縦書きが可能かを判定し、適切な文字方向で背表紙のタイトルを表示することができるという効果が得られる。
【発明を実施するための最良の形態】
【０００７】
以下、本発明の実施形態について添付の図面を参照して具体的に説明する。
【０００８】
図１は本実施形態に係る電子アルバム編集装置のシステム構成の一例を示す図である。
【０００９】
図１において、１０１は、イメージ情報である光学像を、電気信号に変換し、所定の画像処理をした後、デジタル情報として、記録、再生する画像入力装置である。例えば、画像入力装置１０１はデジタルスチルカメラやデジタルビデオカメラ、スキャナである。１０２は、ユーザが操作するパーソナルコンピュータ（ＰＣ）である。ユーザＰＣ１０２では、本発明の電子アルバム編集プログラムの１実施形態である電子アルバム編集プログラム１０８とＷｅｂブラウザ１０９が動作する。１０３は画像入力装置１０１で取得された画像データをユーザＰＣ１０２へ転送するためのデータ転送用インターフェースである。例えば、データ転送用インターフェース１０３はＵＳＢ（Ｕｎｉｖｅｒｓａｌ  Ｓｅｒｉａｌ  Ｂｕｓ）やＩＥＥＥ１３９４に代表される有線インターフェースあるいは、ＩｒＤＡ、Ｂｌｕｅｔｏｏｔｈに代表される無線系インターフェースである。画像入力装置１０１からデータ転送用インターフェース１０３を介してユーザＰＣ１０２へ転送された画像データは、ユーザＰＣ１０２のハードディスクドライブ（ＨＤＤ）に記憶される。尚、この画像入力装置１０１からユーザＰＣ１０２への画像データ転送に関しては、ユーザＰＣ１０２にインストールされているオペレーションシステム（ＯＳ）又は専用のソフトウエアからの命令にしたがって、画像入力装置１０１が記憶装置に格納している画像データを一括転送する場合と、画像入力装置１０１からユーザＰＣ１０２に送られる転送コマンドにしたがって、ユーザＰＣ１０２のＯＳ又は専用ソフトウエアが、ユーザＰＣ１０２のＨＤＤにデータ記録領域を確保し、画像入力装置１０１から画像データを受信する場合がある。
【００１０】
ユーザＰＣ１０２は、インターネット１０４での情報転送が可能な標準プロトコルを有するブラウザ１０９を動作可能である。ユーザＰＣ１０２はブラウザ１０９を動作させることにより、Ｈｙｐｅｒ  Ｔｅｘｔ  Ｔｒａｎｓｆｅｒ  Ｐｒｏｔｏｃｏｌ（ＨＴＴＰ）等のプロトコルを用いてフォトサイト１０５にアクセスし、Ｈｙｐｅｒ  Ｔｅｘｔ  Ｍａｒｋｕｐ  Ｌａｎｇｕａｇｅ（ＨＴＭＬ）やｅＸｔｅｎｓｉｂｌｅ  Ｍａｒｋｕｐ  Ｌａｎｇｕａｇｅ（ＸＭＬ）等の記述言語で作成されたＷｅｂページ情報を取得して解析し、ユーザＰＣ１０２のディスプレイ上にＷｅｂページを表示させることができる。このＷｅｂページ情報はフォトサイト１０５が画像ＤＢ１０７にて管理する画像や音声等のマルチメディア情報にリンクされている。
【００１１】
そして、ユーザＰＣ１０２は、ブラウザ１０９を動作させることによりインターネット１０４経由でフォトサイト１０５から、電子アルバム編集プログラムを実行する際に使用する電子アルバムのテンプレートや画像データをダウンロードすることができる。尚、ダウンロードされる電子アルバムのテンプレートや画像データは画像ＤＢ１０７に記憶されている。
【００１２】
電子アルバムに含まれる画像データは、画像入力装置１０１から取得されユーザＰＣ１０２のＨＤＤに記憶された画像データやフォトサイト１０５からダウンロードされた画像データである。
【００１３】
また、ユーザＰＣ１０２は、編集された電子アルバムのプリント注文をフォトサイト１０５経由でプリントサイト１０９に依頼することが可能である。プリントサイト１０９はプリンタ１１１を使って電子アルバムデータに対する印刷処理を実行してアルバム１１２を出力する。尚、図１ではプリントサイト１０９を１つだけ図示したが、１つ以上存在してもよい。
【００１４】
図２は本実施形態に係るユーザＰＣ１０２に相当する情報処理装置の概略構成を示す図である。
【００１５】
図２において、２０１はＣＲＴディスプレイ（Ｃａｔｈｏｄｅ  Ｒａｙ  Ｔｕｂｅ）であり、その表示画面には、例えば編集中の文書、図形、画像その他の編集情報、アイコン、メッセージ、メニューその他のユーザインタフェース情報が表示される。２０２はＶＲＡＭであり、ＣＲＴディスプレイ２０１の表示画面に表示するための画像が描画される。このＶＲＡＭ２０２に生成された画像データは、所定の規定に従ってＣＲＴディスプレイ２０１に転送され、これによりＣＲＴディスプレイ２０１に画像が表示される。２０３はビットムーブユニット（ＢＭＵ）であり、例えば、メモリ間（例えば、ＶＲＡＭ２０２と他のメモリ）のデータ転送や、メモリと各Ｉ／Ｏデバイス（例えば、ネットワークインタフェース２１１）との間のデータ転送を制御する。２０４はキーボードであり、文書等を入力するための各種キーを有する。２０５はポインティングデバイスであり、例えば、ＣＲＴディスプレイ２０１の表示画面上に表示されたアイコン、メニューその他のオブジェクトを指示するために使用される。２０６はＣｅｎｔｒａｌ  Ｐｒｏｃｅｓｓｉｎｇ  Ｕｎｉｔ（ＣＰＵ）であり、Ｒｅａｄ  Ｏｎｌｙ  Ｍｅｍｏｒｙ（ＲＯＭ）２０７、Ｈａｒｄ  Ｄｉｓｋ  Ｄｒｉｖｅ（ＨＤＤ）２０９又はフロッピー（登録商標）ディスクに格納された制御プログラムに基づいて、ＣＰＵ２０６に接続された各デバイスを制御する。２０７はＲＯＭであり、各種の制御プログラムやデータを保持する。２０８はＲａｎｄｏｍ  Ａｃｃｅｓｓ  Ｍｅｍｏｒｙ（ＲＡＭ）であり、ＣＰＵ２０６のワーク領域、エラー処理時のデータの退避領域、制御プログラムのロード領域等を有する。２０９はＨＤＤである。ＨＤＤ２０９は、ユーザＰＣ１０２内で実行される各制御プログラムやコンテンツを格納することができる。例えば、ＨＤＤ２０９には、ブラウザ１０９、電子アルバムデータ、電子アルバム編集プログラムなどが格納されている。２１０はフロッピー（登録商標）ディスクドライブ（ＦＤＤ）であり、フロッピー（登録商標）ディスクに対するアクセスを制御する。２１１はネットワークインタフェースであり、他の情報処理装置やプリンタ等とインターネット１０４を介して通信を行うことができる。２１２はＣＰＵバスであり、アドレスバス、データバス及びコントロールバスを含む。ＣＰＵ２０６に対する制御プログラムの提供は、ＲＯＭ２０７、ＨＤＤ２０９、ＦＤＤ２１０から行うこともできるし、ネットワークインタフェース２１１を介してインターネット１０４経由で他の情報処理装置等から行うこともできる。
【００１６】
図３は本発明の好適な実施の形態に係る電子アルバム編集プログラム１０８の機能構成を示すブロック図である。３０１は背表紙タイトルの入力や編集を行うタイトル入力・編集部である。３０２は背表紙タイトルの表示を行うタイトル表示部である。３０３は背表紙タイトルの文字列を横書きにするか縦書きにするかを指定する文字方向指定部である。３０４はタイトル入力・編集部３０１で入力または編集された文字列を縦書きにすることが可能かを判定する文字方向判定部である。文字方向判定部３０４は、文字方向指定部３０３で指定された文字方向と、タイトル入力・編集部３０１で入力された文字列に含まれる文字を参照して、縦書きが可能かの判定を行う。判定方法の一例をあげると、文字方向指定部３０３で縦書き指定され、かつタイトル入力・編集部３０１で入力された文字列の中に半角文字を含む場合には縦書き表示することは不可能と判定する。この時、タイトル表示部３０２に背表紙のタイトルを横書き表示する。
【００１７】
図４は、本発明の好適な実施の形態に係る電子アルバム編集プログラム１０８におけるテキスト関連データの構造を示す図である。
【００１８】
４０１は、文字情報であり、タイトル文字列４０２が保持される。本発明におけるタイトル入力・編集部３０１で入力された文字列は、タイトル文字列４０２に格納される。４０３は、ページ情報であり、文字・画像・グラフィックなどページ上に表示するデータを管理する。４０４はタイトルポインタであり、文字情報４０１のタイトル文字列４０２を指し示している。４０５はタイトル文字方向情報であり、本発明における文字方向指定部３０３で指定した縦書きか横書きかの情報を管理する。
【００１９】
図５は本発明の好適な実施の形態に係る電子アルバム編集プログラム１０８における表紙編集画面である。
【００２０】
図５において、５０１は表紙編集画面であり、この上にアルバムの表紙・背表紙・裏表紙を表示した５０２が表示されている。５０３は２ヶ所あり、それぞれアルバムの表紙または裏表紙のどちらかである。５０４は背表紙である。５０５が背表紙５０４上に配置されるタイトル領域である。５０６がタイトル入力・編集ボタンであり、押下することにより、後述するタイトルの入力・編集ダイアログが表示される。今、タイトル領域５０５を選択して、表紙のタイトル入力を開始すると、タイトルの入力・編集ダイアログ５１０が表示される。上述したタイトル領域５０５を選択するとは、タイトル領域５０５上でポインティングデバイス２０５をダブルクリックまたは単にクリックするか、タイトル入力・編集ボタン５０６を押下することである。５１０はタイトルの入力・編集ダイアログである。タイトルの入力・編集ダイアログ５１０上には、タイトル文字入力エリア５１１、文字方向指定ラジオボタン５１２、入力されたタイトルを確定するＯＫボタン５１３、タイトル入力を中止するＣａｎｃｅｌボタン５１４が表示される。文字方向指定ラジオボタン５１２の横を選択することで背表紙の文字方向として横書きを指定する。同様に縦を選択することで背表紙の文字方向として縦書き指定する。表紙編集画面５０１を表示してから最初にタイトル文字入力エリア５１１にタイトルを入力する時の文字方向指定ラジオボタン５１２の初期値は横書きに設定されている。一度、タイトル文字方向情報４０５に文字方向情報が格納されると、次にタイトルの入力・編集ダイアログ５１０を表示したときの文字方向指定ラジオボタン５１２は、タイトル文字方向情報４０５に現在格納されている文字方向が選択されて表示される。文字方向指定ラジオボタン５１２が表示されない実施の形態も可能である。この時、内部的には常に縦書きを選択するようにし文字方向判定部３０４において縦書きが可能かを判定して可能なら縦書きで表示し、不可能なら横書きで表示する。ユーザがタイトル入力エリア５１１に任意のタイトル文字列を入力してＯＫボタン５１３を押下すると、入力された文字列がタイトル領域５０５に表示される。表紙編集画面５０１を表示してから最初にタイトル文字入力エリア５１１にタイトルを入力する際の、タイトル文字入力エリア５１１の初期値は空欄である。一度、タイトル文字列４０２に文字列が格納されると、次にタイトルの入力・編集ダイアログ５１０を表示したときのタイトル文字入力エリア５１１には、タイトル文字列４０２に現在格納されている文字列が入力された状態で表示される。
【００２１】
図６は本発明の好適な実施の形態に係る電子アルバム編集プログラム１０８における、表紙編集画面５０１中のタイトル領域５０５に表示される文字列の例を示す図である。
【００２２】
図６において、６０１はタイトル文字入力エリア５１１に「橋のある風景」と入力し、文字方向指定ラジオボタン５１２を縦書きに指定し、ＯＫボタン５１３を押下した時にタイトル領域５０５に表示されるタイトルの一例であり、文字方向指定ラジオボタン５１２で指定した通り縦書きで表示されている。この時、文字方向判定部３０４において、「橋のある風景」という文字列は縦書きが可能であると判定している。文字方向判定部３０４を使用しない実施形態でもよいが、その場合は「橋のある風景２００４」と入力すると６０２のように表示され間延びした感じをうける。６０３はタイトル文字入力エリア５１１に「橋のある風景２００４」と入力し、文字方向指定ラジオボタン５１２を縦書きに指定し、ＯＫボタン５１３を押下した時にタイトル領域５０５に表示されるタイトルの一例であり、文字方向判定部３０４で半角数字を含むため縦書き表示は不可能と判断されて自動的に横書きで表示されている。縦書きが不可能と判断されると、文字方向指定ラジオボタン５１２の縦書きラジオボタンは選択できない状態になる。次に、６０１の状態から、タイトル文字入力エリア５１１に「橋のある風景２００４」のようにタイトルを変更するとする。半角数字を含むために文字方向判定部３０４において縦書き表示は不可能と判定され、文字方向指定ラジオボタン５１２の縦書きラジオボタンは選択できなくなると同時に、自動的に横書きラジオボタンに選択が移る。ここでＯＫボタン５１３を押下した場合は６０３に図示するように自動的に横書きに変更されて表示される。ここで、文字方向判定部３０４が動作するタイミングとしてタイトルの入力・編集ダイアログ５１０内のタイトル文字入力エリア５１１にあるフォーカスを他のオブジェクトに移動した場合でもよいし、タイトル文字入力エリア５１１にあるフォーカスはそのままでタイトル文字入力エリア５１１に入力した文字が確定するタイミングでもよい。別の実施の形態では、表紙編集画面５０１を表示してから最初にタイトル文字入力エリア５１１にタイトルを入力する際の文字方向指定ラジオボタン５１２の初期設定は縦書きでもよい。初期設定が縦書きに設定されている場合に、タイトル文字入力エリア５１１に入力された文字列が文字方向判定部３０４で縦書き可能と判定されたら、縦書きのまま表示されるが、文字方向判定部３０４で縦書き不可能と判定されたら、文字方向指定ラジオボタン５１２の縦書きラジオボタンは選択できなくなり、自動的に横書きラジオボタンに選択が移る。そのままＯＫボタン５１３を押下すればタイトルは横書きで表示される。文字方向判定部３０４において、文字数によっては半角文字がタイトルに含まれていても縦書き表示を可能と判定するようにする実施の形態も可能である。例えば、タイトルに含まれている半角文字が連続していない場合は縦書き表示を可能とする。６０４は、タイトル文字入力エリア５１１に半角の＠を１つ含む「橋のある風景＠平成十六年」という文字列を入力し、文字方向指定ラジオボタン５１２を縦書きに指定し、ＯＫボタン５１３を押下した時にタイトル領域５０５に表示されるタイトルの一例である。タイトルに半角文字が含まれているが半角文字が連続していないために文字方向判定部３０４で縦書き可能と判定し、文字方向指定ラジオボタン５１２で指定した通り縦書き表示されている。ここで、半角の＠に限定するものではなく、半角スペースや半角の！といった文字でもよい。別の実施の形態では、文字方向判定部３０４において、タイトルに半角文字が含まれていても含まれる半角文字によっては縦書きを可能と判定することも可能である。例えば、タイトルに含まれる半角文字が半角スペースの時は、半角スペースが連続していてもいくつ含まれていても縦書き表示を可能とする。６０５は、タイトル文字入力エリア５１１に半角スペースを５つ連続で含む「橋のある風景    秋編」という文字列を入力し、文字方向指定ラジオボタン５１２を縦書きに指定し、ＯＫボタン５１３を押下した時にタイトル領域５０５に表示されるタイトルの一例である。タイトルに半角文字が含まれているが含まれる半角文字が半角スペースであるため文字方向判定部３０４において縦書き可能と判定し、文字方向指定ラジオボタン５１２で指定した通り縦書き表示されている。ここで、半角スペースに限定するものではなく、半角の＃や半角＠といった文字の連続でもよい。別の実施の形態では、文字方向判定部３０４において、タイトルに半角文字が含まれていても含まれる半角文字の組み合わせによっては縦書きを可能と判定することも可能である。例えば、タイトルに含まれる半角文字が＠＃！等特定のあらかじめ決められた文字の任意の組み合わせたの時は、縦書き表示を可能とする。６０６は、タイトル文字入力エリア５１１に、半角スペースと半角の＃を組み合わせた「橋のある風景  ＃  秋編  ＃  」という文字列を入力し、文字方向指定ラジオボタン５１２を縦書きに指定し、ＯＫボタン５１３を押下した時にタイトル領域５０５に表示されるタイトルの一例である。タイトルに半角文字が含まれているにもかかわらず特定の決められた文字の組み合わせであるため文字方向判定部３０４において縦書き可能と判定し、文字方向指定ラジオボタン５１２で指定した通り縦書き表示されている。別の実施の形態では、半角文字はすべて全角に変換して表示することも可能である。６０７は、半角数字２００４を含む「橋のある風景２００４」という文字列をタイトル文字入力エリア５１１に入力し、文字方向指定ラジオボタン５１２を縦書きに指定し、ＯＫボタン５１３を押下した時にタイトル領域５０５に表示されるタイトルの一例である。タイトル文字入力エリア５１１に半角文字を入力したにもかかわらず、半角文字を全角に変換したため文字方向判定部３０４において縦書き可能と判定し、文字方向指定ラジオボタン５１２で指定した通り縦書き表示されている。ここで、半角文字のうちの半角数字だけを全角に変換する等、あらかじめ決めた特定の文字だけを全角に変換するようにしてもよい。半角文字から全角への変換は、タイトルの入力・編集ダイアログ５１０上に全角変換チェックボックス（不図示）を追加することにより実現可能である。全角変換チェックボックスをチェックすることで、あらかじめ決めた半角文字がタイトル文字入力エリア５１１に入力された文字列に含まれる場合は該当する半角文字を全角に変換する。また、別の実施の形態では、全角変換チェックボックスを追加する必要はなく、ＯＫボタン５１３を押下した後にタイトルにあらかじめ決めた半角文字が含まれている場合に「半角は全角に変換します」等のメッセージを添えたメッセージダイアログを表示し、ユーザに変換する旨を伝えても良い。
【００２３】
次に本発明の処理手順について、フローチャート図７を参照しながら説明する。
【００２４】
図７は、本実施例で、タイトルを入力・編集し文字方向判定部３０４を経てタイトル領域５０５にタイトルを表示するまでのフローチャートである。
【００２５】
ステップＳ７０１では、ユーザが入力対象のタイトル領域５０５を選択してタイトルの入力・編集ダイアログを表示する。ステップＳ７０２では、ユーザは任意のタイトル文字列をタイトル文字入力エリア５１１に入力する。ステップＳ７０３では、ユーザはタイトルの文字方向を文字方向指定ラジオボタン５１２で指定する。すでに所望の文字方向が設定されている場合は、ユーザはここで何も操作しない。ステップＳ７０４では、文字方向判定部３０４は設定された文字方向によって処理を振り分ける。設定された文字方向が縦書きの場合は、ステップＳ７０５にすすむ。横書きの場合はステップＳ７０７にすすむ。ステップＳ７０５では、文字方向判定部３０４は、入力された文字列を縦書きで表示することが可能かを判定する。可能な場合はステップＳ７０７にすすむ。不可能な場合はステップＳ７０６にすすむ。ここで文字方向判定部３０４は、あらかじめ決められた文字が、あらかじめ決められた条件で、入力された文字列に含まれるかを判定し、含まれる場合は縦書きで表示できないと判定する。あらかじめ決められた文字や条件は、実施の形態により異なる、また、いくつかの実施の形態を選択することできるような別の実施の形態も可能である。ステップＳ７０６では、文字方向指定ラジオボタン５１２の縦書きラジオボタンを選択出来ない状態にし、横書きラジオボタンに選択を自動的に移す。ステップＳ７０７では、入力した文字列をタイトル文字列４０２に格納する。ステップＳ７０８では、設定した文字方向情報をタイトル文字方向情報４０５に格納する。ステップＳ７０９では、文字情報４０１、およびページ情報４０３を参照して、タイトル領域５０５にタイトルを表示する。
【図面の簡単な説明】
【００２６】
【図１】本発明の実施の形態に係る電子アルバム編集装置のシステム構成を示す図である。
【図２】本発明の実施の形態に係るユーザＰＣ１０２に相当する情報処理装置の概略構成を示す図である。
【図３】本発明の実施の形態に係る電子アルバム編集プログラム１０８の機能構成を示すブロック図である。
【図４】本発明の実施の形態に係る電子アルバム編集プログラム１０８におけるテキスト関連データの構造を示す図である。
【図５】本発明の実施の形態に係る表紙編集画面の一例を示す図である。
【図６】本発明の実施の形態に係る電子アルバム編集プログラム１０８における、表紙編集画面５０１中のタイトル領域５０５に表示される文字列の例を示す図である。
【図７】本発明の実施の形態に係る、電子アルバム編集プログラム１０８における、タイトルを入力・編集してから文字方向判定部３０４を経てタイトル領域５０５にタイトルを表示するまでを示すフローチャートである。
【図８】従来の実施の形態に係る、表示されるタイトルの例である。
【符号の説明】
【００２７】
１０１  画像入力装置
１０２  ユーザＰＣ
１０３  データ転送用インターフェース
１０４  インターネット
１０５  フォトサイト
１０７  画像ＤＢ
１０８  電子アルバム編集プログラム
１０９  プリントサイト
１１１  プリンタ
１１２  アルバム
【図１】
2006134227.tif 000003
【図２】
2006134227.tif 000004
【図３】
2006134227.tif 000005
【図４】
2006134227.tif 000006
【図５】
2006134227.tif 000007
【図６】
2006134227.tif 000008
【図７】
2006134227.tif 000009
【図８】
2006134227.tif 000010